(57)【要約】【課題】  高輝度化を図り、かつ立体的に発光させて装飾性を高めることができる表示部材およびそれを備えた時計を提供する。【解決手段】  光透過性を有する板状素材である文字板６と、この文字板６にその表面が凸となりこの凸に対応する裏面が凹となるように設けられた第１〜第３表示収容部１５〜１７と、これら第１〜第３表示収容部１５〜１７内にそれぞれ埋め込まれ、光に反応して発光する第１〜第３蓄光材１８ａ〜１８ｃと、を備えている。従って、第１〜第３表示収容部１５〜１７内にそれぞれ埋め込まれた第１〜第３蓄光材１８ａ〜１８ｃの高輝度化を図ることができると共に、第１〜第３表示収容部１５〜１７内にそれぞれ埋め込まれた第１〜第３蓄光材１８ａ〜１８ｃを文字板６上で立体的に発光させることができ、これにより装飾性を高めることができる。【選択図】        図５
2019052967.tif 000002
【特許請求の範囲】
【請求項１】
光透過性を備える板状素材と、
前記板状素材にその表面が凸となり前記凸に対応する裏面が凹となるように設けられた表示収容部と、
前記表示収容部内に埋め込まれ、光に反応して発光する光反応材と、
を備えていることを特徴とする表示部材。
【請求項２】
請求項１に記載の表示部材において、前記光反応材は、蓄光材であることを特徴とする表示部材。
【請求項３】
請求項１に記載の表示部材において、前記光反応材は、紫外線に反応して可視光線を発光する発光材であることを特徴とする表示部材。
【請求項４】
請求項１〜請求項３のいずれかに記載の表示部材において、前記表示収容部は、前記板状素材の複数箇所にそれぞれ異なる溝形状で設けられていることを特徴とする表示部材。
【請求項５】
請求項１〜請求項４のいずれかに記載の表示部材において、前記板状素材の表面側に突出する前記表示収容部の表面には、光の透過を規制して情報を表示する表示部が設けられていることを特徴とする表示部材。
【請求項６】
請求項１〜請求項５のいずれかに記載の表示部材において、前記表示収容部の深さは、前記板状素材の厚さよりも深く設けられていることを特徴とする表示部材。
【請求項７】
請求項１〜請求項６のいずれかに記載された表示部材を備えていることを特徴とする時計。
【発明の詳細な説明】
【技術分野】
【０００１】
この発明は、腕時計などの電子機器に用いられる表示部材およびそれを備えた時計に関する。
【背景技術】
【０００２】
例えば、腕時計の文字板においては、特許文献１に記載されているように、基板上に蓄光性蛍光体を塗布した蓄光性蛍光シートを備え、この蓄光性蛍光シート上に集光機能性を備えた透明板を重ね、この透明板を通して蓄光性蛍光体で発光した蛍光を上方に放出する構造のものが知られている。
【先行技術文献】
【特許文献】
【０００３】
【特許文献１】特開平１０−３０６２７８号公報
【発明の概要】
【発明が解決しようとする課題】
【０００４】
しかしながら、このような腕時計の文字板では、基板の平坦な表面に蓄光性蛍光体を塗布した構造であるから、蓄光性蛍光体の層厚を十分に確保することができないため、十分な輝度が得られないばかりか、基板の表面全体から光を放出するだけで、立体的に発光させることができないため、装飾性に欠けるという問題がある。
【０００５】
この発明が解決しようとする課題は、高輝度化を図り、かつ立体的に発光させて装飾性を高めることができる表示部材およびそれを備えた時計を提供することである。
【課題を解決するための手段】
【０００６】
この発明は、光透過性を備える板状素材と、前記板状素材にその表面が凸となり前記凸に対応する裏面が凹となるように設けられた表示収容部と、前記表示収容部内に埋め込まれ、光に反応して発光する光反応材と、を備えていることを特徴とする表示部材である。
【発明の効果】
【０００７】
この発明によれば、高輝度化を図ることができると共に、立体的に発光させることができ、これにより装飾性を高めることができる。
【図面の簡単な説明】
【０００８】
【図１】この発明を腕時計に適用した一実施形態を示した拡大正面図である。
【図２】図１に示された腕時計の文字板を表面側から見て示した拡大斜視図である。
【図３】図２に示された文字板を裏面側から見て示した拡大斜視図である。
【図４】図３に示された文字板の表示収容部に蓄光材を埋め込んだ状態を示した拡大斜視図である。
【図５】図２に示された文字板の表示収容部を示し、（ａ）は図２のＡ−Ａ矢視において破断して示した要部の拡大斜視図、（ｂ）は図２のＢ−Ｂ矢視において破断して示した要部の拡大斜視図である。
【図６】図５に示された文字板の表示収容部の変形例を示し、（ａ）はその第１変形例の要部を破断して示した拡大斜視図、（ｂ）はその第２変形例の要部を破断して示した拡大斜視図である。
【発明を実施するための形態】
【０００９】
以下、図１〜図５を参照して、この発明を腕時計に適用した一実施形態について説明する。
この腕時計は、図１に示すように、腕時計ケース１を備えている。この腕時計ケース１の１２時側と６時側との各側部には、バンド取付部２がそれぞれ設けられている。
【００１０】
また、この腕時計ケース１の３時側の側部には、図１に示すように、竜頭などのスイッチ操作部３が設けられている。この腕時計ケース１の２時側、４時側、８時側、および１０時側の各側部には、押釦スイッチ４がそれぞれ設けられている。この腕時計ケース１の内部には、時計モジュール５が設けられている。
【００１１】
この時計モジュール５は、図１に示すように、その上面に配置された円板状の文字板６と、この文字板６の上面における外周部に配置されたリング状の見切り部材７と、を備えている。この場合、見切り部材７の上面には、複数の時字７ａが円周方向に沿って等間隔で設けられている。
【００１２】
また、この時計モジュール５は、図１に示すように、現在時刻を指示する主表示部８と、ワールドタイムを指示する第１副表示部９と、曜日を指示する第２副表示部１０と、バッテリの残量を指示する第３副表示部１１と、日付を表示する日付表示部１２と、を備えている。
【００１３】
主表示部８は、図１に示すように、現在時刻を指示するものであり、文字板６の上方を運針する秒針、分針、時針などの指針１３と、文字板６の中心部にその上方に突出して設けられて指針１３が取り付けられる指針軸１４と、を備えている。これにより、主表示部８は、指針軸１４の回転に伴って指針１３が文字板６の上方を運針して、見切り部材７の時字７ａを指示することにより、現在時刻を指示するように構成されている。
【００１４】
第１副表示部９は、図１に示すように、世界の各都市のうちの何れかの都市の時刻を指示するものである。この第１副表示部９は、文字板６の中心部と文字板６の６時側の外周との間に設けられたほぼ円形状の第１表示領域９ａと、この第１表示領域９ａ内で運針する第１副針９ｂと、を備えている。これにより、第１副表示部９は、第１副針９ｂが第１表示領域９ａ内で運針することにより、選択された都市の時刻を指示するように構成されている。
【００１５】
第２副表示部１０は、図１に示すように、曜日を指示するものであり、文字板６の中心部と文字板６の１２時側の外周との間に設けられたほぼ円形状の第２表示領域１０ａと、この第２表示領域１０ａ内で運針する第２副針１０ｂと、を備えている。これにより、第２副表示部１０は、第２副針１０ｂが第２表示領域１０ａ内で運針することにより、曜日を選択的に指示するように構成されている。
【００１６】
第３副表示部１１は、図１に示すように、バッテリの残量を指示するものであり、文字板６の中心部と文字板６の９時側の外周との間に設けられたほぼ扇形状の第３表示領域１１ａと、この第３表示領域１１ａ内で運針する第３副針１１ｂと、を備えている。これにより、第３副表示部１１は、第３副針１１ｂが第３表示領域１１ａ内で運針することにより、バッテリの残量を指示するように構成されている。
【００１７】
日付表示部１２は、図１に示すように、日付を表示するものであり、１〜３１の日付が表示されたリング状の日車（いずれも図示せず）と、文字板６の３時側の外周部に設けられて日車の何れかの日付が対応する日付窓１２ａと、を備えている。これにより、日付表示部１２は、日付窓１２ａを通して日車の何れかの日付が見えるように構成されている。
【００１８】
ところで、文字板６は、図１〜図４に示すように、光透過性を有する合成樹脂、例えば透明または半透明の合成樹脂によって厚みの薄い板状の成形品で形成されている。この文字板６には、第１副表示部９に対応する第１表示収容部１５と、第２副表示部１０に対応する第２表示収容部１６と、第３副表示部１１に対応する第３表示収容部１７と、が設けられている。第１表示収容部１５、第２表示収容部１６及び第３表示収容部１７は、成形品で発生するヒケ逃げを利用して設けられている。
【００１９】
第１表示収容部１５は、図１〜図４に示すように、第１副表示部９の第１表示領域９ａの外周に沿ってほぼ円形のリング状に設けられている。この第１表示収容部１５は、図５（ａ）に示すように、文字板６の表面に向けて凸となり、この凸に対応する裏面が凹となる溝形状に形成されている。すなわち、この第１表示収容部１５は、その断面形状がほぼ四角形状に形成されている。
【００２０】
これにより、第１表示収容部１５は、図５（ａ）に示すように、文字板６の表面とほぼ平行な状態で文字板６の表面側に突出する上面部１５ａと、この上面部１５ａの周囲に設けられて文字板６の表面側に突出する側面部１５ｂと、を備えている。このため、この第１表示収容部１５は、上面部１５ａおよび側面部１５ｂに対応する裏面側が開放されて、文字板６の裏面側に断面がほぼ四角形の溝が形成されるように構成されている。
【００２１】
また、第２表示収容部１６は、図１〜図４に示すように、第２副表示部１０の第２表示領域１０ａの外周において、時計回り方向に９時側から１時側に亘ってほぼ半円形のリング状に設けられている。この第２表示収容部１６は、図５（ｂ）に示すように、第１表示収容部１５と同様、文字板６の表面に向けて凸となり、この凸に対応する裏面が凹となる溝形状に形成されている。
【００２２】
すなわち、この第２表示収容部１６は、図５（ｂ）に示すように、その断面形状がほぼ直角三角形に形成されている。これにより、第２表示収容部１６は、文字板６の表面側に傾斜して突出する斜面部１６ａと、文字板６の表面側にほぼ垂直に起立する側面部１６ｂと、を備え、これらが文字板６の表面側にほぼ直角三角形状に突出して設けられている。
【００２３】
このため、この第２表示収容部１６は、図５（ｂ）に示すように、斜面部１６ａおよび側面部１６ｂに対応する裏面側が開放されて、文字板６の裏面側に断面がほぼ直角三角形状の溝が形成されるように構成されている。この場合、第２表示収容部１６の斜面部１６ａは、第２表示領域１０ａの内周側に位置し、第２表示領域１０ａの中心部に向けて傾斜して設けられている。また、第２表示収容部１６の側面部１６ｂは、第２表示領域１０ａの外周側に位置した状態で起立して設けられている。
【００２４】
さらに、第３表示収容部１７は、図１〜図４に示すように、第３副表示部１１の第３表示領域１１ａの外周において、時計回り方向に８時側から１１時側に亘って円弧状に設けられている。この第３表示収容部１７は、図５（ｂ）に示すように、第２表示収容部１６と同様、文字板６の表面に向けて凸となり、この凸に対応する裏面が凹となる溝形状に形成されている。
【００２５】
すなわち、この第３表示収容部１７は、図５（ｂ）に示すように、その断面形状がほぼ直角三角形に形成されている。これにより、第３表示収容部１７は、第２表示収容部１６と同様、文字板６の表面側に傾斜して突出する斜面部１７ａと、文字板６の表面側にほぼ垂直に起立する側面部１７ｂと、を備え、これらが文字板６の表面側にほぼ直角三角形状に突出して設けられている。
【００２６】
このため、この第３表示収容部１７は、図５（ｂ）に示すように、斜面部１７ａおよび側面部１７ｂに対応する裏面側が開放されて、文字板６の裏面側に断面がほぼ直角三角形状の溝が形成されるように構成されている。この場合、第３表示収容部１７の斜面部１７ａは、扇形状の第３表示領域１１ａの内周側に位置し、第３表示領域１１ａの扇の要である中心部に向けて傾斜して設けられている。また、第３表示収容部１７の側面部１７ｂは、第３表示領域１１ａの外周側に位置した状態で起立して設けられている。
【００２７】
一方、これら第１〜第３表示収容部１５〜１７は、図４および図５に示すように、これらの内部に、光に反応して発光する第１〜第３蓄光材１８ａ〜１８ｃがそれぞれ埋め込まれている。すなわち、これら第１〜第３蓄光材１８ａ〜１８ｃは、第１〜第３表示収容部１５〜１７の各内部にそれぞれ埋め込まれ、この埋め込まれた第１〜第３蓄光材１８ａ〜１８ｃの各下面が文字板６の裏面と同一平面になるように形成されている。
【００２８】
このため、第１〜第３表示収容部１５〜１７の各内部に埋め込まれた第１〜第３蓄光材１８ａ〜１８ｃは、図４および図５に示すように、十分な厚みで、かつ十分な容量をもって、第１〜第３表示収容部１５〜１７の各内部にそれぞれ埋め込まれている。これにより、第１〜第３蓄光材１８ａ〜１８ｃは、第１〜第３表示収容部１５〜１７の各内部で発光した際に、その輝度が十分に高くなるように構成されている。
【００２９】
すなわち、第１〜第３蓄光材１８ａ〜１８ｃは、図４および図５に示すように、外部光を光エネルギーとして蓄え、この蓄えた光エネルギーによって暗い所で発光するものであり、発光色が白色であっても良いが、青、緑、黄などのいずれかの色で発光するようにしても良い。この場合、第１〜第３表示収容部１５〜１７に埋め込まれた第１〜第３蓄光材１８ａ〜１８ｃは、全て同じ色で発光するようにしても良いが、第１〜第３表示収容部１５〜１７ごとで異なる色で発光するようにしても良い。
【００３０】
これにより、第１〜第３蓄光材１８ａ〜１８ｃは、図４および図５に示すように、光透過性を有する文字板６における第１〜第３表示収容部１５〜１７の各表面側に突出した箇所を通して外部光が入射することにより、外部光を光エネルギーとして蓄えるように構成されている。
【００３１】
また、これら第１〜第３蓄光材１８ａ〜１８ｃそれぞれは、図４および図５に示すように、蓄えた光エネルギーによって暗い所で高い輝度で発光し、この発光した光が第１〜第３表示収容部１５〜１７の各表面側に突出した箇所を通して文字板６の上側に放出されることにより、文字板６の上面側を立体的に照明するように構成されている。
【００３２】
この場合、文字板６の表面に突出する第１〜第３表示収容部１５〜１７の各表面には、図５（ａ）および図５（ｂ）に示すように、光の透過を規制して目盛やマークなどの情報を表示する第１〜第３表示部２０ａ〜２０ｃがそれぞれ設けられている。例えば、第１表示収容部１５は、文字板６の表面に突出する上面部１５ａにおける所定の複数箇所に第１表示部２０ａが設けられている。
【００３３】
これにより、第１副表示部９は、図５（ａ）に示すように、第１表示収容部１５内の第１蓄光材１８ａが発光して第１表示収容部１５の上面部１５ａから光が放出される際に、第１表示部２０ａで光が遮られても、この第１表示部２０ａを除く上面部１５ａの箇所から光が放出されることにより、目盛やマークなどの第１表示部２０ａが鮮明に見えるように構成されている。
【００３４】
また、第１表示部２０ａを第１表示収容部１５の上面部１５ａの全てに設けても良い。この場合、上面部１５ａの全てが第１表示部２０ａにより遮られ側面部１５ｂから光が放出されることにより文字板６の表面を照明のように照らすことができる。第１蓄光材１８ａが埋め込まれる第１表示収容部１５の深さは、文字板６の厚さよりも深く設けられている。
【００３５】
また、第２表示収容部１６は、図５（ｂ）に示すように、文字板６の表面に突出する斜面部１６ａにおける所定の複数箇所に第２表示部２０ｂがそれぞれ設けられている。これにより、第２副表示部１０は、第２表示収容部１６内の第２蓄光材１８ｂが発光して第２表示収容部１６の斜面部１６ａから光が放出される際に、第２表示部２０ｂで光が遮られても、この第２表示部２０ｂを除く斜面部１６ａの箇所から光が放出されることにより、第１副表示部９と同様、目盛やマークなどの第２表示部２０ｂが鮮明に見えるように構成されている。
【００３６】
さらに、第３表示収容部１７は、図５（ｂ）に示すように、文字板６の表面に突出する斜面部１７ａにおける所定の複数箇所に第３表示部２０ｃがそれぞれ設けられている。これにより、第３副表示部１１は、第３表示収容部１７内の第３蓄光材１８ｃが発光して第３表示収容部１７の斜面部１７ａから光が放出される際に、第３表示部２０ｃで光が遮られても、この第３表示部２０ｃを除く斜面部１７ａの箇所から光が放出されることにより、第２副表示部１０と同様、目盛やマークなどの第３表示部２０ｃが鮮明に見えるように構成されている。
【００３７】
また、文字板６には、図２〜図４に示すように、主表示部８の指針軸１４が挿入する貫通孔６ａと、第１副表示部９の第１副針９ｂの指針軸（図示せず）が挿入する貫通孔６ｂと、第２副表示部１０の第２副針１０ｂの指針軸（図示せず）が挿入する貫通孔６ｃと、第３副表示部１１の第３副針１１ｂの指針軸（図示せず）が挿入する貫通孔６ｄと、が設けられている。
【００３８】
次に、このような腕時計の作用について説明する。
この腕時計は、通常の状態のときに、主表示部８の指針軸１４が回転して、秒針、分針、時針などの指針１３を文字板６の上方で運針させ、この指針１３が文字板６の外周に配置された見切り部材７の時字７ａを指示することにより、現在時刻を知ることができる。
【００３９】
また、このときには、第１副表示部９の第１副針９ｂが第１表示領域９ａ内で運針して、第１表示部２０ａを指示することにより、世界の各都市のうちの何れかの都市の時刻を知ることができる。同様に、第２副表示部１０は、第２副針１０ｂが第２表示領域１０ａ内で運針して、第２表示部２０ｂの何れかの曜日を指示することにより、曜日を知ることができる。
【００４０】
さらに、このときには、第３副表示部１１の第３副針１１ｂが第３表示領域１１ａ内で運針して、第３表示部２０ｃの目盛を指示することにより、バッテリの残量を知ることができる。同様に、日付表示部１２は、１〜３１の日付が表示された日車（いずれも図示せず）が腕時計ケース１の内周面に沿って回転して、日車の何れかの日付が文字板６の日付窓１２ａを通して見えることにより、日付を知ることができる。
【００４１】
また、この腕時計を明るい所で使用した際には、外部光が文字板６の表面に照射され、この照射された外部光が文字板６を透過する。このときには、文字板６の第１〜第３副表示部９〜１１にそれぞれ対応して設けられた第１〜第３表示収容部１５〜１７の内部に外部光が入射し、この入射した外部光によって第１〜第３表示収容部１５〜１７内に埋め込まれた第１〜第３蓄光材１８ａ〜１８ｃに光エネルギーが蓄えられる。
【００４２】
すなわち、第１副表示部９の第１表示収容部１５では、外部光が上面部１５ａおよび側面部１５ｂから第１表示収容部１５の内部に入射し、この入射した光が第１表示収容部１５内の第１蓄光材１８ａに照射される。この照射された光によって第１表示収容部１５内の第１蓄光材１８ａに光エネルギーが蓄えられる。この場合、第１表示収容部１５に埋め込まれた第１蓄光材１８ａは、厚みが厚く、かつ容量が多いので、十分に光エネルギーが蓄えられる。
【００４３】
また、第２副表示部１０の第２表示収容部１６では、外部光が斜面部１６ａおよび側面部１６ｂから第２表示収容部１６の内部に入射し、この入射した光が第２表示収容部１６内の第２蓄光材１８ｂに照射される。この照射された光によって第２表示収容部１６内の第２蓄光材１８ｂに光エネルギーが蓄えられる。この場合にも、第２表示収容部１６に埋め込まれた第２蓄光材１８ｂは、厚みが厚く、かつ容量が多いので、十分に光エネルギーが蓄えられる。
【００４４】
同様に、第３副表示部１１の第３表示収容部１７では、外部光が斜面部１７ａおよび側面部１７ｂから第３表示収容部１７の内部に入射し、この入射した光が第３表示収容部１７内の第３蓄光材１８ｃに照射される。この照射された光によって第３表示収容部１７内の第３蓄光材１８ｃに光エネルギーが蓄えられる。この場合にも、第３表示収容部１７に埋め込まれた第３蓄光材１８ｃは、厚みが厚く、かつ容量が多いので、十分に光エネルギーが蓄えられる。
【００４５】
ところで、この腕時計を暗い所で使用する際には、文字板６の第１〜第３副表示部９〜１１にそれぞれ対応して設けられた第１〜第３表示収容部１５〜１７の内部に埋め込まれた第１〜第３蓄光材１８ａ〜１８ｃが高い輝度で発光する。すなわち、第１〜第３表示収容部１５〜１７に埋め込まれた第１〜第３蓄光材１８ａ〜１８ｃは、それぞれ厚みが厚く、かつ容量が多いので、発光した際に輝度が高くなる。
【００４６】
この場合、第１〜第３表示収容部１５〜１７それぞれは、文字板６の表面から突出しているので、この突出した第１〜第３表示収容部１５〜１７内の第１〜第３蓄光材１８ａ〜１８ｃが、文字板６の上側で立体的に発光する。すなわち、第１〜第３蓄光材１８ａ〜１８ｃで発光した光は、文字板６の表面から突出した第１〜第３表示収容部１５〜１７の各箇所から文字板６の上側に放出される。
【００４７】
このため、第１〜第３表示収容部１５〜１７内の第１〜第３蓄光材１８ａ〜１８ｃは、文字板６の上側で立体的に発光することにより、第１〜第３副表示部９〜１１それぞれを明るく照明することができるので、第１〜第３副表示部９〜１１を良好に視認することができる。
【００４８】
この場合、第１副表示部９では、第１表示収容部１５が第１表示領域９ａの外周に沿ってほぼ円形のリング状に形成されているので、この第１表示収容部１５内に埋め込まれた第１蓄光材１８ａが発光すると、第１表示領域９ａの外周をほぼ円形のリング状に照明する。
【００４９】
すなわち、第１表示収容部１５内の第１蓄光材１８ａが発光した際には、その発光した光が、文字板６の上側に位置する第１表示収容部１５の上面部１５ａと側面部１５ｂとから文字板６の上側に放出されるので、第１蓄光材１８ａが文字板６の上側で立体的に発光して、第１表示領域９ａを良好に照明する。
【００５０】
このときには、第１表示収容部１５の上面部１５ａにおける所定の複数箇所に、目盛やマークなどの第１表示部２０ａが設けられているため、第１表示収容部１５内の第１蓄光材１８ａで発光した光が第１表示部２０ａで遮られても、この第１表示部２０ａを除く上面部１５ａの箇所から光が放出される。このため、第１表示収容部１５の上面部１５ａに設けられた目盛やマークなどの第１表示部２０ａを鮮明に視認することができるので、暗い所でも世界の各都市のうち、選択された都市の時刻を良好に知ることができる。
【００５１】
また、第２副表示部１０では、第２表示収容部１６が第２表示領域１０ａの外周において、時計回り方向に９時側から１時側に亘ってほぼ半円形のリング状に設けられているので、この第２表示収容部１６内に埋め込まれた第２蓄光材１８ｂが発光すると、第２表示領域１０ａの外周をほぼ半円弧状に照明する。
【００５２】
すなわち、第２表示収容部１６内の第２蓄光材１８ｂが発光した際には、その発光した光が、文字板６の上側に位置する第２表示収容部１６の斜面部１６ａと側面部１６ｂとから文字板６の上側に放出されるので、第２蓄光材１８ｂが文字板６の上側で立体的に発光して、第２表示領域１０ａを良好に照明する。
【００５３】
このときには、第２表示収容部１６の斜面部１６ａにおける所定の複数箇所にも、目盛やマークなどの第２表示部２０ｂが設けられているため、第２表示収容部１６内の第２蓄光材１８ｂで発光した光が第２表示部２０ｂで遮られても、この第２表示部２０ｂを除く斜面部１６ａの箇所から光が放出される。このため、第２表示収容部１６の斜面部１６ａに設けられた目盛やマークなどの第２表示部２０ｂを鮮明に視認することができるので、暗い所でも選択された曜日を良好に知ることができる。
【００５４】
同様に、第３副表示部１１では、第３表示収容部１７が第３表示領域１１ａの外周において、時計回り方向に８時側から１１時側に亘って円弧状に設けられているので、この第３表示収容部１７内に埋め込まれた第３蓄光材１８ｃが発光すると、第３表示領域１１ａの外周を円弧状に照明する。
【００５５】
すなわち、第３表示収容部１７内の第３蓄光材１８ｃが発光した際には、その発光した光が、文字板６の上側に位置する第３表示収容部１７の斜面部１７ａと側面部１７ｂとから文字板６の上側に放出されるので、第３蓄光材１８ｃが文字板６の上側で立体的に発光して、第３表示領域１１ａを良好に照明する。
【００５６】
このときにも、第３表示収容部１７の斜面部１７ａにおける所定の複数箇所に、目盛やマークなどの第３表示部２０ｃが設けられているため、第３表示収容部１７内の第３蓄光材１８ｃで発光した光が第３表示部２０ｃで遮られても、この第３表示部２０ｃを除く斜面部１７ａの箇所から光が放出される。このため、第３表示収容部１７の斜面部１７ａに設けられた目盛やマークなどの第３表示部２０ｃを鮮明に視認することができるので、暗い所でもバッテリの残量を良好に知ることができる。
【００５７】
この場合、第１〜第３表示収容部１５〜１７は、それぞれ形状が異なり、この形状の異なる第１〜第３表示収容部１５〜１７内にそれぞれ第１〜第３蓄光材１８ａ〜１８ｃが埋め込まれているので、これら第１〜第３蓄光材１８ａ〜１８ｃがそれぞれ発光すると、この発光した光が第１〜第３表示収容部１５〜１７の形状に応じて、それぞれ異なる形状で第１〜第３副表示部９〜１１を照明するので、装飾性が高められると共に、デザイン性の向上が図れる。
【００５８】
また、第１〜第３表示収容部１５〜１７内にそれぞれ埋め込まれた第１〜第３蓄光材１８ａ〜１８ｃは、発光した際の発光色が第１〜第３表示収容部１５〜１７内の第１〜第３蓄光材１８ａ〜１８ｃで同じであっても良いが、第１〜第３表示収容部１５〜１７内の第１〜第３蓄光材１８ａ〜１８ｃで発光色が異なっていれば、色彩が豊富になるので、これによっても装飾性を高めてデザイン性の向上が図れる。
【００５９】
このように、この腕時計によれば、光透過性を有する板状素材である文字板６と、この文字板６にその表面が凸となりこの凸に対応する裏面が凹となるように設けられた第１〜第３表示収容部１５〜１７と、これら第１〜第３表示収容部１５〜１７内にそれぞれ埋め込まれて光に反応して発光する第１〜第３蓄光材１８ａ〜１８ｃと、を備えていることにより、第１〜第３蓄光材１８ａ〜１８ｃの高輝度化を図ることができると共に、第１〜第３蓄光材１８ａ〜１８ｃを文字板６の表面側で立体的に発光させることができ、これにより装飾性を高めることができる。
【００６０】
すなわち、この腕時計では、文字板６の表面側に突出した第１〜第３表示収容部１５〜１７内に第１〜第３蓄光材１８ａ〜１８ｃを埋め込んでいるので、これら第１〜第３蓄光材１８ａ〜１８ｃの厚みを厚くすることができ、かつ第１〜第３蓄光材１８ａ〜１８ｃの容量を多くすることができる。
【００６１】
このため、この腕時計では、第１〜第３表示収容部１５〜１７内の第１〜第３蓄光材１８ａ〜１８ｃの発光輝度を高めることができるので、第１〜第３蓄光材１８ａ〜１８ｃが発光した際に、第１〜第３表示収容部１５〜１７の表面を高い輝度で明るく発光させることができ、これにより文字板６の表面側を良好に照明することができる。
【００６２】
また、この腕時計では、文字板６にその表面が凸となりこの凸に対応する裏面が凹となるように第１〜第３表示収容部１５〜１７が設けられているので、第１〜第３表示収容部１５〜１７に埋め込まれた第１〜第３蓄光材１８ａ〜１８ｃを文字板６の表面よりも上側に突出させた位置に配置させることができる。このため、第１〜第３蓄光材１８ａ〜１８ｃが発光した際に、文字板６の表面側で立体的に発光させることができるので、装飾性を高めることができると共に、デザイン性を高めることができる。
【００６３】
また、この腕時計では、第１〜第３表示収容部１５〜１７が文字板６の複数箇所にそれぞれ異なる溝形状で設けられていることにより、第１〜第３表示収容部１５〜１７内それぞれに第１〜第３蓄光材１８ａ〜１８ｃを厚い厚みで、かつ多くの容量で埋め込むことができると共に、それぞれ異なる形状で第１〜第３蓄光材１８ａ〜１８ｃを発光させることができる。
【００６４】
すなわち、この腕時計では、第１〜第３表示収容部１５〜１７内に埋め込まれた第１〜第３蓄光材１８ａ〜１８ｃによって文字板６の複数箇所を高い輝度で立体的に発光させることができるので、第１〜第３表示収容部１５〜１７内の第１〜第３蓄光材１８ａ〜１８ｃによってそれぞれ異なる溝形状に沿って明るく文字板６の表面側を照明することができる。
【００６５】
この場合、第１表示収容部１５は、第１副表示部９の第１表示領域９ａの外周に沿ってほぼ円形のリング状に形成されているので、この第１表示収容部１５内に埋め込まれた第１蓄光材１８ａが発光すると、文字板６の表面側で第１表示領域９ａの外周を立体的なリング状に発光させることができる。
【００６６】
すなわち、第１表示収容部１５内の第１蓄光材１８ａは、発光した光を文字板６の表面から突出した第１表示収容部１５の上面部１５ａと側面部１５ｂとから文字板６の表面側に放出することができるので、文字板６の表面側で立体的に発光させることができ、これにより第１表示領域９ａを立体的に良好に照明することができる。
【００６７】
また、第２副表示部１０は、第２表示収容部１６が第２表示領域１０ａの外周において、時計回り方向に９時側から１時側に亘ってほぼ半円形のリング状に設けられているので、この第２表示収容部１６内に埋め込まれた第２蓄光材１８ｂが発光すると、文字板６の表面側で第２表示領域１０ａの外周を立体的な半円形状に発光させることができる。
【００６８】
すなわち、第２表示収容部１６内の第２蓄光材１８ｂは、発光した光を文字板６の表面から突出した第２表示収容部１６の斜面部１６ａと側面部１６ｂとから文字板６の表面側に放出することができるので、文字板６の表面側で立体的に発光させることができ、これにより第２表示領域１０ａを立体的に良好に照明することができる。
【００６９】
さらに、第３副表示部１１では、第３表示収容部１７が第３表示領域１１ａの外周において、時計回り方向に８時側から１１時側に亘って円弧状に設けられているので、この第３表示収容部１７内に埋め込まれた第３蓄光材１８ｃが発光すると、文字板６の表面側で第３表示領域１１ａの外周を立体的な円弧状に発光させることができる。
【００７０】
すなわち、第３表示収容部１７内の第３蓄光材１８ｃは、発光した光を文字板６の表面から突出した第３表示収容部１７の斜面部１７ａと側面部１７ｂとから文字板６の表面側に放出することができるので、文字板６の表面側で立体的に発光させることができ、これにより第３表示領域１１ａを立体的に良好に照明することができる。
【００７１】
この場合、第１〜第３表示収容部１５〜１７は、それぞれ形状が異なり、この形状の異なる第１〜第３表示収容部１５〜１７内にそれぞれ第１〜第３蓄光材１８ａ〜１８ｃが埋め込まれているので、第１〜第３蓄光材１８ａ〜１８ｃが発光すると、この発光した光によって、第１〜第３表示収容部１５〜１７の形状に応じて異なる形状で発光させることができるので、これによっても装飾性を高めることができ、より一層、デザイン性を向上させることができる。
【００７２】
また、第１〜第３表示収容部１５〜１７内にそれぞれ埋め込まれた第１〜第３蓄光材１８ａ〜１８ｃは、発光した際の発光色が第１〜第３表示収容部１５〜１７内の第１〜第３蓄光材１８ａ〜１８ｃで同じであっても良いが、第１〜第３蓄光材１８ａ〜１８ｃで発光色が異なっていれば、色彩が豊富になるので、これによっても装飾性を高めてデザイン性を更に向上させることができる。
【００７３】
また、この腕時計では、文字板６の表面側に突出する第１〜第３表示収容部１５〜１７の表面それぞれに光の透過を規制して情報を表示する第１〜第３表示部２０ａ〜２０ｃが設けられていることにより、第１〜第３蓄光材１８ａ〜１８ｃで発光した光が第１〜第３表示部２０ａ〜２０ｃで遮られても、これら第１〜第３表示部２０ａ〜２０ｃを除く第１〜第３表示収容部１５〜１７の表面から光が放出されるので、第１〜第３表示部２０ａ〜２０ｃを鮮明に視認することができる。
【００７４】
すなわち、第１表示収容部１５の上面部１５ａにおける所定の複数箇所には、目盛やマークなどの第１表示部２０ａが設けられているため、第１表示収容部１５内の第１蓄光材１８ａで発光した光が第１表示部２０ａで遮られても、この第１表示部２０ａを除く上面部１５ａの箇所から光が放出されるので、暗い所でも第１表示収容部１５の上面部１５ａに設けられた目盛やマークなどの第１表示部２０ａを鮮明に視認することができる。
【００７５】
また、第２表示収容部１６の斜面部１６ａにおける所定の複数箇所にも、目盛やマークなどの第２表示部２０ｂが設けられているため、第２表示収容部１６内の第２蓄光材１８ｂで発光した光が第２表示部２０ｂで遮られても、この第２表示部２０ｂを除く斜面部１６ａの箇所から光が放出されるので、暗い所でも第２表示収容部１６の斜面部１６ａに設けられた目盛やマークなどの第２表示部２０ｂを鮮明に視認することができる。
【００７６】
さらに、第３表示収容部１７の斜面部１７ａにおける所定の複数箇所にも、目盛やマークなどの第３表示部２０ｃが設けられているため、第３表示収容部１７内の第３蓄光材１８ｃで発光した光が第３表示部２０ｃで遮られても、この第３表示部２０ｃを除く斜面部１７ａの箇所から光が放出されるので、暗い所でも第３表示収容部１７の斜面部１７ａに設けられた目盛やマークなどの第３表示部２０ｃを鮮明に視認することができる。
【００７７】
なお、上述した実施形態では、第１〜第３表示収容部１５〜１７の内部に第１〜第３蓄光材１８ａ〜１８ｃを埋め込んだ場合につて述べたが、この発明は、これに限らず、例えば紫外線に反応して可視光線を発光する発光材を第１〜第３表示収容部１５〜１７の内部に埋め込んでも良い。この場合には、文字板６の上側に位置する腕時計ケース１の内周面に紫外線発光素子を配置すれば良い。
【００７８】
このように構成された腕時計では、紫外線発光素子で紫外線を発光させると、その紫外線が第１〜第３表示収容部１５〜１７の表面から内部に入射し、この入射した紫外線に発光材が反応して可視光線を発光させることができる。このため、このような発光材を用いても、上述した実施形態と同様、発光材を高輝度で発光させることができると共に、立体的に発光させることができる。
【００７９】
また、上述した実施形態では、第１表示収容部１５を断面形状がほぼ四角形状の溝状になるように形成し、第２、第３表示収容部１６、１７を断面形状がほぼ直角三角形状の溝状になるように形成した場合について述べたが、この発明は、これに限らず、例えば図６（ａ）に示す第１変形例または図６（ｂ）に示す第２変形例のように、表示収容部２１、２２を形成しても良い。
【００８０】
すなわち、図６（ａ）に示された第１変形例の表示収容部２１は、文字板６の表面に山形状に突出し、これに対応する裏面側に断面が逆Ｖ字形の溝状に形成されている。また、図６（ｂ）に示された第２変形例の表示収容部２２は、文字板６の表面にほぼ台形状に突出し、これに対応する裏面側に断面が逆台形の溝状に形成されている。このように、表示収容部２１、２２を形成しても、上述した実施形態と同様の作用効果がある。
【００８１】
また、この発明は、これらに限らず、例えば、表示収容部を文字板６の表面に断面形状が半円弧状になるように突出させ、これに対する裏面側に断面形状が半円弧の溝状になるように形成しても良い。このように、表示収容部を形成しても、上述した実施形態と同様の作用効果がある。
【００８２】
また、この発明は、上述した実施形態に限らず、文字板６の裏面にソーラパネルを配置した構造であっても良い。この場合には、文字板６が光透過性を有しているので、外部光が文字板６を通してソーラパネルに照射されると共に、蓄光材１８で発光した高輝度の光がソーラパネルに照射される。このため、ソーラパネルを良好に発電させることができる。
【００８３】
また、上述した実施形態およびその各変形例では、文字板６に適用した場合について述べたが、この発明は、必ずしも文字板６である必要はなく、例えば見切り部材７にも適用することができる。見切り部材７を光透過性の材料で形成し、この見切り部材７の時字７ａを見切り部材７の表面が凸となりこの凸に対応する裏面が凹となる表示収容部として設ければ良い。
【００８４】
さらに、上述した実施形態およびその各変形例では、腕時計に適用した場合について述べたが、この発明は、必ずしも腕時計である必要はなく、例えばトラベルウオッチ、目覚まし時計、置き時計、掛け時計などの各種の時計に適用することができる。また、この発明は、必ずしも時計である必要はなく、携帯端末機や携帯電話機などの電子機器にも広く適用することができる。
【００８５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８６】
（付記）
請求項１に記載の発明は、光透過性を備える板状素材と、前記板状素材にその表面が凸となり前記凸に対応する裏面が凹となるように設けられた表示収容部と、前記表示収容部内に埋め込まれ、光に反応して発光する光反応材と、を備えていることを特徴とする表示部材である。
【００８７】
請求項２に記載の発明は、請求項１に記載の表示部材において、前記光反応材は、蓄光材であることを特徴とする表示部材である。
【００８８】
請求項３に記載の発明は、請求項１に記載の表示部材において、前記光反応材は、紫外線に反応して可視光線を発光する発光材であることを特徴とする表示部材である。
【００８９】
請求項４に記載の発明は、請求項１〜請求項３のいずれかに記載の表示部材において、前記表示収容部は、前記板状素材の複数箇所にそれぞれ異なる溝形状で設けられていることを特徴とする表示部材である。
【００９０】
請求項５に記載の発明は、請求項１〜請求項４のいずれかに記載の表示部材において、前記板状素材の表面側に突出する前記表示収容部の表面には、光の透過を規制して情報を表示する表示部が設けられていることを特徴とする表示部材である。
【００９１】
請求項６に記載の発明は、請求項１〜請求項５のいずれかに記載の表示部材において、前記表示収容部の深さは、前記板状素材の厚さよりも深く設けられていることを特徴とする表示部材である。
【００９２】
請求項７に記載の発明は、請求項１〜請求項６のいずれかに記載された表示部材を備えていることを特徴とする時計である。
【符号の説明】
【００９３】
１  腕時計ケース
５  時計モジュール
６  文字板
６ａ〜６ｄ  貫通孔
７  見切り部材
７ａ  時字
８  主表示部
９〜１１  第１〜第３副表示部
９ａ〜１１ａ  第１〜第３表示領域
９ｂ〜１１ｂ  第１〜第３副針
１３  指針
１４  指針軸
１５〜１７  第１〜第３表示収容部
１５ａ  上面部
１５ｂ  側面部
１６ａ、１７ａ  斜面部
１６ｂ、１７ｂ  側面部
１８ａ〜１８ｃ  第１〜第３蓄光材
２０ａ〜２０ｃ  第１〜第３表示部
２１、２２  表示収容部
【図１】
2019052967.tif 000003
【図２】
2019052967.tif 000004
【図３】
2019052967.tif 000005
【図４】
2019052967.tif 000006
【図５】
2019052967.tif 000007
【図６】
2019052967.tif 000008
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
光透過性を備える板状素材と、
前記板状素材にその表面が凸となり前記凸に対応する裏面が凹となるように設けられた表示収容部と、
前記表示収容部内に埋め込まれ、光に反応して発光する光反応材と、
を備えていることを特徴とする表示部材。
【請求項２】
請求項１に記載の表示部材において、前記光反応材は、蓄光材であることを特徴とする表示部材。
【請求項３】
請求項１に記載の表示部材において、前記光反応材は、紫外線に反応して可視光線を発光する発光材であることを特徴とする表示部材。
【請求項４】
請求項１〜請求項３のいずれかに記載の表示部材において、前記表示収容部は、前記板状素材の複数箇所にそれぞれ異なる溝形状で設けられていることを特徴とする表示部材。
【請求項５】
請求項１〜請求項４のいずれかに記載の表示部材において、前記板状素材の表面側に突出する前記表示収容部の表面には、光の透過を規制して情報を表示する表示部が設けられていることを特徴とする表示部材。
【請求項６】
請求項５に記載の表示部材において、前記光反応材が発光した光は、前記表示収容部の表面の前記表示部を除く箇所から放出されることを特徴とする表示部材。
【請求項７】
請求項１〜請求項６のいずれかに記載の表示部材において、前記表示収容部の深さは、前記板状素材の厚さよりも深く設けられていることを特徴とする表示部材。
【請求項８】
請求項１〜請求項７のいずれかに記載された表示部材を備えていることを特徴とする時計。